(57)【要約】【課題】  乾燥手段が、循環される洗濯槽内空気の除湿をする除湿器を有するものにおいて、その除湿器内におけるリントの堆積をなくして乾燥性能を良好に維持し得るようにする。【解決手段】  除湿器３８にこれの清掃（リントＬの洗い流し）のための給水をする給水装置５１を具え、その給水装置５１による給水を、洗濯行程における排水時や、乾燥工程中、もしくは今回の運転における乾燥行程の終了後から次回の運転における洗濯槽への最初の給水までの間に実行するようにした。【選択図】  図１
2005021601.tif 000002
【特許請求の範囲】
【請求項１】
洗濯物を収容する洗濯槽と、この洗濯槽内の前記洗濯物を洗濯する洗濯手段と、洗濯槽内の前記洗濯物を乾燥させる乾燥手段とを有し、
その乾燥手段が、前記洗濯槽内の空気を循環させる循環装置と、その循環空気の除湿をする除湿器とを具備するものにおいて、
前記除湿器にこれの清掃に必要な量の給水をする給水装置を具え、
その給水装置による給水を、前記洗濯物を洗濯する洗濯行程における排水時に実行することを特徴とする洗濯乾燥機。
【請求項２】
洗濯物を収容する洗濯槽と、この洗濯槽内の前記洗濯物を洗濯する洗濯手段と、洗濯槽内の前記洗濯物を乾燥させる乾燥手段とを有し、
その乾燥手段が、前記洗濯槽内の空気を循環させる循環装置と、その循環空気の除湿をする除湿器とを具備するものにおいて、
前記除湿器にこれの清掃に必要な量の給水をする給水装置を具え、
その給水装置による給水を、前記洗濯物を乾燥させる乾燥行程中に実行することを特徴とする洗濯乾燥機。
【請求項３】
給水装置による給水の実行中、循環装置による洗濯槽内空気の循環を停止させることを特徴とする請求項２記載の洗濯乾燥機。
【請求項４】
洗濯物を収容する洗濯槽と、この洗濯槽内の前記洗濯物を洗濯する洗濯手段と、洗濯槽内の前記洗濯物を乾燥させる乾燥手段とを有し、
その乾燥手段が、前記洗濯槽内の空気を循環させる循環装置と、その循環空気の除湿をする除湿器とを具備するものにおいて、
前記除湿器にこれの清掃に必要な量の給水をする給水装置を具え、
その給水装置による給水を、今回の運転における乾燥行程の終了後から次回の運転における洗濯槽への最初の給水までの間に実行することを特徴とする洗濯乾燥機。
【請求項５】
除湿器にこれの清掃に必要な量の給水をする給水装置を、除湿器に除湿のための給水をする給水装置とは別に具え、その清掃用の給水装置の給水口部分が、吐出した水で除湿用の給水装置の給水口部分を洗う位置に存在することを特徴とする請求項１ないし４のいずれかに記載の洗濯乾燥機。
【請求項６】
清掃用の給水装置による給水を、乾燥行程が実行されたことを条件に実行することを特徴とする請求項１ないし５のいずれかに記載の洗濯乾燥機。
【発明の詳細な説明】
【技術分野】
【０００１】
本発明は、乾燥手段が、循環される洗濯槽内空気の除湿をする除湿器を有する洗濯乾燥機に関する。
【背景技術】
【０００２】
従来より、洗濯乾燥機においては、洗濯物を収容する洗濯槽と、この洗濯槽内の洗濯物を洗濯する洗濯手段と、洗濯槽内の洗濯物を乾燥させる乾燥手段とを有し、その乾燥手段が、洗濯槽内の空気を循環させる循環装置と、その循環空気の除湿をする除湿器とを具備するものが供されている。そして、その除湿器には、循環空気を通し、同時に給水をすることによって、循環空気の水冷除湿をするものが供されている。
【０００３】
図１３はこのものの除湿器の従来の主要部分を示しており、除湿器１の内部に、内周壁から更に内方へ突出する突壁２によって狭路３が形成されている。この狭路３を、除湿器１内を下方から上方へと進む空気Ａが通り、風速を高める。そして又、除湿器１が上部に具えた注水管４と、これに除湿器１外で通じた給水弁５とにより、除湿器１内を上方から下方へと水Ｗが散布されて供給されるもので、この供給されて落ちる水Ｗが、狭路３部分で、上述の風速を高めた循環空気Ａと接触して激しく飛散される。これにより、循環空気Ａと水Ｗとの接触量が上がり、循環空気Ａが水Ｗと効率良く接触して冷却され除湿される。
【０００４】
なお、除湿により生じた露は、除湿に供し終えた水Ｗと共に除湿器１内を落下して最終的に機外に排出される。又、除湿された循環空気Ａは、洗濯槽内に至って洗濯物の乾燥に供する。
又、本発明の課題とは直接関係ないが、除湿器１には、除湿用の水の温度又は循環空気の温度に応じた量の給水をするようにしたものもある。
【特許文献１】特開平１０−８５４９７号公報
【発明の開示】
【発明が解決しようとする課題】
【０００５】
洗濯乾燥機で乾燥を行うとき、洗濯物からはリント（糸くず）が散出する。この散出したリントは、循環空気に混じり、除湿器の内部に侵入する。この除湿器の内部に侵入したリントは、その多くが上述の除湿器の内部に供給された水に吸収され、それと共に除湿器内から機外に排出されるものの、吸収されずに除湿器内を上昇した分が除湿器内の突出した部分に付着して堆積する。
【０００６】
図１４はこの状況を表しており、除湿器１内の突出した部分である、狭路３の周縁部（突壁２の内周縁）や注水管４の先端部に、除湿器１内を上昇したリントＬが付着して堆積している。
そして、そのリントＬの堆積が進むことにより、除湿器１内の風路が狭まり、循環空気の流通性が悪くなって、除湿性能の低下、ひいては乾燥性能の低下を招来するという問題点を有していた。
本発明は上述の事情に鑑みてなされたものであり、従ってその目的は、除湿器内におけるリントの堆積をなくして乾燥性能を良好に維持し得る洗濯乾燥機を提供するにある。
【課題を解決するための手段】
【０００７】
上記目的を達成するために、本発明の洗濯乾燥機は、洗濯物を収容する洗濯槽と、この洗濯槽内の前記洗濯物を洗濯する洗濯手段と、洗濯槽内の前記洗濯物を乾燥させる乾燥手段とを有し、その乾燥手段が、前記洗濯槽内の空気を循環させる循環装置と、その循環空気の除湿をする除湿器とを具備するものにおいて、第１に、前記除湿器にこれの清掃に必要な量の給水をする給水装置を具え、その給水装置による給水を、前記洗濯物を洗濯する洗濯行程における排水時に実行することを特徴とする（請求項１の発明）。
【０００８】
本発明の洗濯乾燥機は、第２に、前記給水装置による給水を、洗濯物を乾燥させる乾燥行程中に実行することを特徴とする（請求項２の発明）。
この場合、除湿器の清掃給水の実行中には、循環装置による洗濯槽内空気の循環を停止させると良い（請求項３の発明）。
本発明の洗濯乾燥機は、第３に、除湿器の清掃給水を、今回の運転における乾燥行程の終了後から次回の運転における洗濯槽への最初の給水までの間に実行することを特徴とする（請求項４の発明）。
【０００９】
これらの場合、除湿器にこれの清掃に必要な量の給水をする給水装置を、除湿器に除湿のための給水をする給水装置とは別に具え、その清掃用の給水装置の給水口部分が、吐出した水で除湿用給水装置の給水口部分を洗う位置に存在すると良い（請求項５の発明）。
又、清掃用の給水装置による給水を、乾燥行程が実行されたことを条件に実行するのも良い（請求項６の発明）。
【発明の効果】
【００１０】
請求項１の発明によれば、洗濯行程における排水時に除湿器に清掃給水がなされることで、前回の運転の乾燥行程中に除湿器内に付着したリントが洗い流される。よって、除湿器内にリントが堆積することがなくなり、それにより、除湿器内の風路が狭まることもなくなって、循環空気の流通性を良好に維持でき、除湿性能、ひいては乾燥性能を良好に維持することができる。又、この場合、除湿器に清掃給水をする時期は、洗濯行程における排水時であり、除湿器内から洗い流したリントが洗濯槽内に入ることがないので、洗い流したリントが洗濯物に再付着することもないようにできる。
【００１１】
請求項２の発明によれば、乾燥行程中に除湿器に清掃給水がなされることで、今回の運転の乾燥行程中に除湿器内に付着した、あるいは付着しそうなリントが洗い流される。特に、洗濯物からのリントの散出は乾燥行程に多く、除湿器内へのリントの侵入も乾燥行程に多いから、それに対して、この場合、リントを適時に洗い流すことができる。よって、除湿性能、ひいては乾燥性能の維持が一層確実にできる。
【００１２】
請求項３の発明では、除湿器の清掃給水の流水が、除湿器内における洗濯槽内空気の通りに邪魔されることなく円滑に行われ、その分、リントの洗い流しも円滑に行われる。よって、除湿性能、ひいては乾燥性能の維持が更に確実にできる。
請求項４の発明によれば、今回の運転における乾燥行程の終了後から次回の運転における洗濯槽への最初の給水までの間に、除湿器に清掃給水がなされることで、前回の運転の乾燥行程中に除湿器内に付着したリントが洗い流される。よって、除湿器内にリントが堆積することがなくなり、循環空気の流通性を良好に維持できて、除湿性能、ひいては乾燥性能を良好に維持することができる。
【００１３】
請求項５の発明では、除湿用給水装置の給水口部分に付着して堆積されがちなリントを、清掃用給水装置の給水口から吐出される水で効果的に洗い流すことができる。よって、リントの洗い流しも効果的にできて、乾燥時における除湿用給水装置の給水性能をより良好に維持でき、従って、除湿性能、ひいては乾燥性能の維持もより確実にできる。
請求項６の発明では、除湿器内に付着したリントの洗い流しが、除湿器内のリントの付着を伴う乾燥行程の実行を条件にして行われるから、必要に応じてのみ行なわれることになる。よって、乾燥行程が実行されていないときに運転終了までの時間が除湿器３８の清掃給水で長引くことのないようにできる。
【発明を実施するための最良の形態】
【００１４】
以下、本発明をドラム式の洗濯乾燥機に適用した第１実施例（第１の実施形態）につき、図１ないし図６を参照して説明する。
まず、図３に示すように、洗濯乾燥機の外殻をなす外箱１１の前面部には、中央部に洗濯物出入口１２を形成し、これを扉１３により開閉するようにしている。又、外箱１１の前面部の上部には操作パネル１４を設け、これの裏側（外箱１１内）に操作回路ユニット１５を配設している。
【００１５】
操作パネル１４は、使用者が洗濯乾燥機の運転に係る各種の操作をするためのもので、詳しくは図示しないが、電源スイッチや、スタートスイッチ並びに各種選択スイッチなど、多数の操作スイッチを有し、そのほか、各種表示部を有している。一方、外箱１１の前面部の下部の裏側には、制御回路ユニット１６を配設している。
外箱１１の内部には水槽１７を配設している。この水槽１７は円筒形のドラム状を成すものであり、その軸方向が前後（図３では左右）となる横軸状で、しかも、前上がり（図３では左上がり）の傾斜状に配設し、左右一対（一方のみ図示）の弾性支持装置１８により支持している。
【００１６】
水槽１７の内部には洗濯槽１９を配設している。この洗濯槽１９も円筒形のドラム状を成すものであり、水槽１７と同軸状（軸方向が前後となる横軸状で、しかも、前上がりの傾斜状）に配設している。又、この洗濯槽１９は、脱水槽及び乾燥槽としても機能するものであり、その関係上、胴部のほゞ全域に、通水孔であり通風孔でもある小孔２０を多数有し（図３に一部のみ図示）、胴部の内周部には、洗濯物掻き上げ用のバッフル２１を複数有している（同、１つのみ図示）。
【００１７】
水槽１７及び洗濯槽１９は、いずれも前面部に洗濯物出し入れ用の開口部２２，２３を有しており、そのうちの水槽１７の開口部２２を、ベロー２４によって前記外箱１１の洗濯物出入口１２に水密に連ね、洗濯槽１９の開口部２３を水槽１７の開口部２２に臨ませている。
水槽１７の背面部には、洗濯槽１９を回転駆動する駆動装置として、モータ２５を配設している。このモータ２５は、この場合、アウターロータ形であり、そのステータ２５ａを水槽１７の背面部に取付け、ロータ２５ｂの中心部に取付けた回転軸２５ｃを水槽１７内に挿通して、これの前端部に洗濯槽１９の背部の中心部を取付けている。
【００１８】
水槽１７の下面部には、水槽１７内と連通する水溜器２６を取付けており、この水溜器２６の内部に洗濯水加熱用のヒータ２７を配設している。水溜器２６の後部には、排水弁２８を介して排水ホース２９を接続しており、これらによって、水槽１７内、ひいては洗濯槽１９内の洗濯水を排出するようにしている。
一方、水槽１７上には、送風機３０と加熱器３１とを配設している。このうち、送風機３０は、ケーシング３２の内部に送風羽根３３を設け、この送風羽根３３を回転駆動するモータ３４（図５参照）をケーシング３２の外部に設けて成るものであり、一方、加熱器３１は、ケース３５の内部に温風生成用ヒータ３６を設けて成るもので、ケース３５後側の入口部が送風機３０のケーシング３２前側の出口部に連通している。
【００１９】
更に、水槽１７上の前部にはダクト３７を配設している。このダクト３７は、一端部が上記加熱器３１のケース３５前側の出口部に連通しており、他端部が水槽１７内に臨んでいる。
水槽１７の背面部には又、除湿器３８を配設している。この除湿器３８は、図４に示すように、ほゞ円弧状を成すもので、前記モータ２５を避けてその左側に配設している。又、この除湿器３８は、全体に中空状を成しており、下部に連通口３９を有していて、その連通口３９を水槽１７の内下部に連通させている。更に、除湿器３８は、図３に示すように、上部をダクト４０により前記送風機３０のケーシング３２に連通させている。
【００２０】
従って、この構成で、送風機３０を作動させれば、図３に矢印Ａで示すように、洗濯槽１９内の空気が小孔２０から水槽１７と洗濯槽１９との間を通って、連通口３９から除湿器３８内に至り、該除湿器３８内を下部から上部へと通った後、ダクト４０から更に送風機３０、加熱器３１、ダクト３７を順に通って、水槽１７内に戻され、更に小孔２０から洗濯槽１９内に戻される。かくして、洗濯槽１９内の空気が循環されるものであり、この除湿器３８、ダクト４０、送風機３０、加熱器３１、及びダクト３７により、循環装置４１を構成している。
【００２１】
除湿器３８には、図４に示すように、内部の下部寄りの中間部に、内周壁から更に内方へ突出する突壁４２を設けることによって、狭路４３を形成している。又、それに対して、除湿器３８内の上部には、注水管４４を横幅のほゞ全長にわたり配設している。この注水管４４は、下面部に例えば横一列状に多数の噴水口４５を有しており、基端部を除湿器３８外に位置させ、これに除湿用給水弁４６を接続している。これにより、除湿器３８内に除湿のための給水をする除湿用給水装置４７を構成しており、上記多数の噴水口４５を有する注水管４４は、この除湿用給水装置４７の給水口部分となっている。
【００２２】
そして、除湿器３８内の上記注水管４４より更に上方の部分には、給水管４８を配設している。この給水管４８は上記注水管４４同様に除湿器３８内に横向きに配設したものであるが、その長さは先端部が注水管４４の中間部に達する程度で短く、その先端部に注水口４９を斜め下方向きに形成している。又、この給水管４８の一端部も除湿器３８外に位置させており、これに清掃用給水弁５０を接続し、これによって、除湿器３８内に後に詳述する清掃のための給水をする清掃用給水装置５１を構成している。この清掃用給水装置５１にあって、上記注水口４９を有する給水管４８は、該清掃用給水装置５１の給水口部分となっている。
【００２３】
ここで、清掃用給水弁５０の給水流量は、除湿用給水弁４６のそれより大きく、例えば、除湿用給水弁４６の給水流量が約０．５〔Ｌ／分〕であるのに対して、清掃用給水弁５０のそれは除湿器３８の清掃に充分な約５〔Ｌ／分〕（１０倍）としている。
このほか、図３に示すように、前記外箱１１内の最上部には注水ケース５２を配設しており、この注水ケース５２に、接続ホース５３を介して洗濯用の給水弁５４を接続している。又、注水ケース５２は、出口部を給水パイプ５５を介して前記水槽１７内に前上方より連通させている。
【００２４】
なお、上記洗濯用の給水弁５４と、前記除湿用給水弁４６、清掃用給水弁５０並びに前記排水弁２８は、すべて、電磁石やモータ等の電動駆動力にて開放される電動式のものである。
以上に対して、図５には制御装置５６を示している。この制御装置５６は、前記制御回路ユニット１６に含まれており、洗濯乾燥機の作動全般を制御する制御手段として機能する。この制御装置５６には、スイッチ入力部５７から各種操作信号が入力されるようになっている。このスイッチ入力部５７は、前記操作パネル１４の各種操作スイッチ、並びにその各種操作スイッチの操作に応動する前記操作回路ユニット１５から成っており、各種操作スイッチの操作に基づく各種操作信号を出力するようになっている。
【００２５】
このほか、制御装置５６には、前記水槽１７内の貯留水位（洗濯槽１９内の貯留水位）を検知すべく設けた水位センサ５８から水位検知信号が入力されるようになっており、更に、前記モータ２５の回転を検知すべく設けた回転センサ５９から回転検知信号が入力され、前記扉１３の開閉を検知すべく設けた扉開閉センサ６０から開閉検知信号が入力されるようになっている。
【００２６】
そして、それらの入力並びにあらかじめ記憶された制御プログラムに基づいて、制御装置５６は、前記モータ２５を駆動するインバータ回路６１に駆動制御信号を与えるようになっている。
そのほか、制御装置５６は、前記洗濯用の給水弁５４と、除湿用の給水弁４６、除湿器清掃用の給水弁５０、洗濯水加熱用のヒータ２７、送風機３０のモータ３４、加熱器３１のヒータ３６、及び排水弁２８、を駆動する駆動回路６２に駆動制御信号を与えるようになっている。
【００２７】
次に、上記構成のものの作用を述べる。
洗濯をするときには、使用者が、扉１３を開けて、洗濯物出入口１２から洗濯槽１９内に洗濯物を入れ、その後に扉１３を閉じて、操作パネル１４の操作スイッチを操作することにより、電源を投入し、コース選択をして、運転をスタートさせる。
図６は、それに応じた制御装置５６のルーチン、中でも洗濯行程における前期（洗い行程）のルーチンを示している。すなわち、制御装置５６は、全作動を開始（スタート）したその最初に、洗濯用給水弁５４を開放させる（ステップＳ１）。すると、図示しない水道の蛇口からこれに接続した洗濯用給水弁５４、接続ホース５３、注水ケース５２、及び給水パイプ５５を順に経て、水槽１７内（洗濯槽１９内）に水道水が供給される。なお、この水道水の供給と同時に水槽１７内（洗濯槽１９内）には洗剤が供給されるようになっている。
【００２８】
この状況で、制御装置５６は、水位センサ５８からの検知出力により、水槽１７内（洗濯槽１９内）の貯留水位が所定の水位に達したか否かの判断をする（ステップＳ２）。このステップＳ２で、所定の水位に達していない（ＮＯ）と判断されるうちは、ステップＳ１に戻り、上記水槽１７内（洗濯槽１９内）への給水を継続する。これに対して、ステップＳ２で、所定の水位に達した（ＹＥＳ）と判断されれば、洗濯用給水弁５４を閉塞させるものであり（ステップＳ３）、これにより、上記水槽１７内（洗濯槽１９内）への給水が終了する。
【００２９】
この後、制御装置５６は、モータ２５を起動させる（ステップＳ３）。すると、モータ２５の回転軸２５ｃと一体に洗濯槽１９が回転され、その内部に収容した洗濯物を撹拌して洗う。従って、このとき、モータ２５は洗濯手段として機能する。この状況で、制御装置５６は、所定時間が経過したか否かの判断をし（ステップＳ５）、経過していない（ＮＯ）と判断されるうちは、ステップＳ４に戻り、洗濯槽１９の回転を継続する。これに対して、所定時間が経過した（ＹＥＳ）と判断されれば、モータ２５を停止させて洗濯槽１９の回転を終了する（ステップＳ６）。
【００３０】
この後、制御装置５６は、排水弁２８を開放させる（ステップＳ７）。これにより、水槽１７内（洗濯槽１９内）の水が排水弁２８から排水ホース２９を通じて機外に排出される。この状況で、制御装置５６は、水位センサ５８からの検知出力により、水槽１７内（洗濯槽１９内）の貯留水位が例えば０水位の所定水位に達したか否かの判断をする（ステップＳ８）。このステップＳ８で、０水位に達していない（ＮＯ）と判断されるうちは、ステップＳ７に戻り、上記水槽１７内（洗濯槽１９内）からの排水を継続する。
【００３１】
これに対して、ステップＳ８で、０水位に達した（ＹＥＳ）と判断されれば、清掃用給水弁５０を開放させる（ステップＳ９）。これにより、前記水道の蛇口からこれに接続した清掃用給水弁５０を通じて、給水管４８の注水口４９から除湿器３８内に水道水が噴出供給される。図１はこのときの状況を示しており、上記給水管４８の注水口４９から除湿器３８内に噴出供給された水Ｗが、給水管４８の長さと、注水口４９の向き（斜め下方向き）とにより、下方の注水管４４（除湿用給水装置４７の給水口部分）にかけられている。
【００３２】
この後、制御装置５６は、例えば３０秒の所定時間が経過したか否かの判断をし（ステップＳ１０）、経過していない（ＮＯ）と判断されるうちは、ステップＳ９に戻って清掃用給水弁５０を開放させ続ける。これに対して、ステップＳ１０で、経過した（ＹＥＳ）と判断されれば、清掃用給水弁５０を閉塞させて（ステップＳ１１）、給水管４８の注水口４９から除湿器３８内への給水を終了する。
【００３３】
そして、その後、排水弁２８を閉塞させるものであり（ステップＳ１２）、これにより、前記水槽１７内（洗濯槽１９内）からの排水、特にはこの場合、除湿器３８内に上述のごとく供給されて連通口３９を通じ水槽１７内に至った水の排出を終了する。
なお、洗濯行程には以上の洗い行程のほかにすすぎ行程があり、制御装置５６は、上記ステップＳ１２の後に、行程をすすぎ行程へと進める。このすすぎ行程は、洗濯物の洗いに洗剤を使用しない以外、洗い行程と同様に行うものであり、従って、その排水時にはステップＳ７〜Ｓ１２と同様のステップを経ることにより、給水管４８の注水口４９からの除湿器３８内への給水を実行する。
【００３４】
又、すすぎ行程の後には、脱水行程、乾燥行程を順に実行する。そのうち、脱水行程は、排水弁２８を開放させた状態で、洗濯槽１９をモータ２５により高速回転させることにより、洗濯槽１９内の洗濯物の水分を遠心力で小孔２０から振り切り排出するものである。
乾燥行程は、後に詳述するが、洗濯槽１９を回転させつつ、送風機３０を作動させることにより該洗濯槽１９内の空気を循環装置４１を通じて循環させ、その途中、除湿器３８にて注水管４４から供給される水により循環空気を冷却して除湿し、加熱器３１にて加熱することにより生成した乾燥温風を洗濯槽１９内に順次送り込んで、洗濯槽１９内の洗濯物を乾燥させる。従って、このとき、モータ２５と、送風機３０及び加熱器３１を含む循環装置４１は、乾燥手段として機能する。
【００３５】
そして、その乾燥行程では、既述のように、洗濯物から散出したリントが、循環空気に混じり、除湿器３８の内部に侵入する。この除湿器３８の内部に侵入したリントは、その多くが除湿器３８の内部に上述のごとく注水管４４から除湿のために供給される水に吸収されて、それと共に除湿器３８内を降下し、連通口３９から水槽１７内を経て、排水弁２８、排水ホース２９を通じ機外に排出されるものの、吸収されずに除湿器３８内を上昇した分のリントが、図２にＬで示すように、除湿器３８内の突出した部分である、狭路４３の周縁部（突壁４２の内周縁）や注水管４４の先端部に付着する。
【００３６】
これに対して、上記構成のものでは、除湿器３８に給水管４８から給水をする清掃用の給水装置５１を具え、その給水装置５１による給水を、上記洗濯物を洗濯する洗濯行程における排水時に実行するようにしている。しかして、その供給された水は、図１にＷで示したように除湿器３８内を降下するものであり、その過程で、前記狭路４３の周縁部や注水管４４の先端部に前回の運転の乾燥行程中に付着したリントＬにかかってこれを洗い流す。すなわち、清掃用の給水装置５１は除湿器３８にこれの清掃（付着したリントＬの洗い流し）に必要な量の給水をするものであり、該清掃用給水装置５１の給水管４８は、吐出した水で除湿用給水装置４７の注水管４４を洗う位置に存在しているのである。なお、洗い流されたリントＬは、水と共に除湿器３８内を降下し、連通口３９から水槽１７内を経て、排水弁２８、排水ホース２９を通じ機外に排出される。
【００３７】
かくして、上記構成のものの場合、除湿器３８内にリントＬが堆積することがなくなり、それにより、除湿器３８内の風路が狭まることもなくなって、循環空気の流通性を良好に維持でき、除湿性能、ひいては乾燥性能を良好に維持することができる。
しかも、この場合、給水装置５１による給水をする時期は、洗濯行程における排水時であり、除湿器３８内から洗い流したリントが洗濯槽１９内に入ることがないので、洗い流したリントが洗濯物に再付着することもないようにできる。
【００３８】
又、特に上記構成のものの場合、除湿器３８内に上述の清掃に必要な量の給水をする給水装置５１を、除湿のための給水をする給水装置４７とは別に具え、その清掃用給水装置５１の給水口部分である給水管４８が、吐出した水で除湿用給水装置４７の給水口部分である注水管４４を洗う位置に存在する構成としている。これにより、除湿用給水装置４７の給水口部分に付着しがちなリントに対して、より効果的に水をかけることができるので、リントの洗い流しも効果的にできて、乾燥時における除湿用給水装置４７の給水性能をより良好に維持でき、従って、除湿性能、ひいては乾燥性能の維持もより確実にできる。
【００３９】
以上に対して、図７ないし図１２は本発明の第２ないし第６実施例（第２ないし第６の実施形態）を示すもので、それぞれ、第１実施例と同一の部分には同一の符号を付して説明を省略し、異なる部分についてのみ述べる。
［第２実施例］
図７は第２実施例における制御装置５６のルーチン、中でも乾燥行程のルーチンを示している。この場合、制御装置５６は、乾燥行程を開始（乾燥スタート）したその最初に、排水弁２８を開放させる（ステップＳ１１１）。これにより、水槽１７内（洗濯槽１９内）からの排水が前述同様に行われる。
【００４０】
次いで、制御装置５６は、洗濯物量の測定をする（ステップＳ１１２）。この洗濯物量の測定は、例えば、洗濯槽１９をモータ２５により回転させて、そのときの負荷（洗濯物の量によって異なる）を回転センサ５９で検知することにより行うもので、その測定結果から、温風による乾燥時間の設定をする。この後、制御装置５６は、送風機３０の送風羽根３３を回転させると共に洗濯槽１９を回転させ（ステップＳ１１３）、更に、加熱器３１のヒータ３６を発熱させる（ステップＳ１１４）。これにより、洗濯槽１９内の洗濯物が撹拌されつつ、洗濯槽１９内の空気が先に詳述したごとく循環され、特に除湿器３８内の狭路４３部分では、その風速を高める。
【００４１】
この状況で、制御装置５６は、更に除湿用給水弁４６を開放させるもので（ステップＳ１１５）、これにより、水道の蛇口からこれに接続した除湿用給水弁４６を通じて、注水管４４の噴水口４５から除湿器３８内に水道水が噴出供給される。この除湿器３８内に供給された水は、図２にＷで示すように、除湿器３８内を降下し、狭路４３部分で、上述の風速を高めた循環空気Ａと接触して激しく飛散されことにより該循環空気Ａとの接触量を上げるものであり、かくして、循環空気Ａが水Ｗと効率良く接触して冷却され除湿される。しかして、その除湿された空気は、加熱器３１にてヒータ３６に加熱されることにより温風化され、その温風が洗濯槽１９内に順次送り込まれて洗濯物を乾燥させる。
【００４２】
この状況で、更に制御装置５６は、計測時間のカウント値Ｔ１を０とし（ステップＳ１１６）、その後に、その計測時間のカウントを進める（ステップＳ１１７）。そして、次にそのカウント値Ｔ１が例えば１０分の所定時間に達したか否かの判断をし（ステップＳ１１８）、達していない（ＮＯ）と判断されれば、更に、前記ステップＳ１１２の測定結果から設定した温風による乾燥時間が終了であるか否かの判断をし（ステップＳ１１９）、終了ではない（ＮＯ）と判断されるうちは、ステップＳ１１３に戻って乾燥運転を継続する。
【００４３】
これに対して、ステップＳ１１８で、１０分に達した（ＹＥＳ）と判断されれば、加熱器３１のヒータ３６の発熱を停止させ（ステップＳ１２０）、更に、送風機３０の送風羽根３３の回転を停止させると共に洗濯槽１９の回転を停止させて（ステップＳ１２１）、清掃用給水弁５０を開放させる（ステップＳ１２２）。これにより、除湿器３８内への給水(リントの洗い流し清掃)が、洗濯槽１９内の洗濯物の撹拌と洗濯槽１９内の空気の循環とを停止させた状態で行われる。
【００４４】
この後、制御装置５６は、例えば３０秒の所定時間が経過したか否かの判断をし（ステップＳ１２３）、経過していない（ＮＯ）と判断されるうちは、ステップＳ１２０に戻って除湿器３８内への給水(リントの洗い流し清掃)を継続する。これに対し、ステップＳ１２３で、３０秒が経過した（ＹＥＳ）と判断されば、清掃用給水弁５０を閉塞させて除湿器３８内への給水(リントの洗い流し清掃)を終了する（ステップＳ１２４）。
【００４５】
そして、その後にステップＳ１１３に戻り、ステップＳ１１８で、再び１０分に達した（ＹＥＳ）と判断されれば、上述同様に、除湿器３８内への給水(リントの洗い流し清掃)を、洗濯物の撹拌と洗濯槽１９内の空気の循環とを停止させた状態で実行する。すなわち、本構成のものの場合には、乾燥運転中、例えば１０分の所定時間ごとに、除湿器３８内への給水(リントの洗い流し清掃)を、洗濯物の撹拌と洗濯槽１９内の空気の循環とを停止させた状態で実行する。
【００４６】
この後、ステップＳ１１９で、温風による乾燥時間が終了である（ＹＥＳ）と判断されれば、加熱器３１のヒータ３６の発熱を停止させて冷風運転に移行し（ステップＳ１２５）、その後、所定の冷却時間（冷風による乾燥運転時間）が終了したか否かの判断をし（ステップＳ１２６）、終了していない（ＮＯ）と判断されるうちは、ステップＳ１２５に戻って冷風による乾燥運転を継続する。そして、ステップＳ１２６で、冷却時間が終了した（ＹＥＳ）と判断されれば、送風機３０の送風羽根３３の回転を停止させると共に洗濯槽１９の回転を停止させて（ステップＳ１２７）、除湿用給水弁４６を閉塞させ（ステップＳ１２８）、乾燥行程を終了する。
【００４７】
このように本構成のものでは、除湿器３８の清掃用給水装置５１による給水（除湿器３８のリントの洗い流し清掃)を、洗濯物を乾燥させる乾燥行程中に実行するようにしており、これにより、今回の運転の乾燥行程中に除湿器３８内に付着した、あるいは付着しそうなリントの洗い流しができる。よって、除湿性能、ひいては乾燥性能の維持が第１実施例同様に、あるいはそれ以上に確実にできる。
【００４８】
特に、洗濯物からのリントの散出は乾燥行程に多く、当然、除湿器３８内へのリントの侵入も乾燥行程に多い。これに対して、本構成のものでは、除湿器３８のリントの洗い流し清掃をその乾燥行程中に実行するのであるから、リントを適時に洗い流すことができて、除湿性能、ひいては乾燥性能の維持が一層確実にできる。
又、この場合、除湿器３８の清掃給水の実行中には、送風機３０を停止させて洗濯槽１９内空気の循環を停止させるようにしている（ステップＳ１２１）。これにより、除湿器３８の清掃給水の流水が、除湿器３８内における循環空気の通り（流水の方向とは逆の流れ）に邪魔されることなく円滑に行われ、その分、リントの洗い流しも円滑に行われるので、除湿性能、ひいては乾燥性能の維持が更に確実にできる。
【００４９】
加えて、本構成のものの場合、除湿器３８の清掃給水を、乾燥運転中、例えば１０分の所定時間ごとに実行するようにしている。これにより、除湿器３８の清掃のための給水が乾燥運転中に連続しないことで、該乾燥運転中における除湿器３８内の循環空気の通りを極力良好に確保でき、よって、除湿性能、ひいては乾燥性能の維持がそれによっても一層確実にできる。
【００５０】
［第３実施例］
図８は第３実施例における制御装置５６の乾燥行程におけるルーチンを示している。この場合、制御装置５６は、乾燥行程を開始（乾燥スタート）したところから、ステップＳ１１１〜Ｓ１１５を経るまでは上記第２実施例と同様である。しかして、ステップＳ１１５の後には、ステップＳ１１９に進む。すなわち、この場合には、温風による乾燥運転を、途中に除湿器３８の清掃給水を実行せずに、実行するようにしている。
【００５１】
そして、ステップＳ１１９からステップＳ１２５を経た後には、ステップＳ１２６に進むまでの間に、上記第２実施例のステップＳ１１６〜Ｓ１１８、並びにステップＳ１２１〜Ｓ１２４とそれぞれ同様の、ステップＳ２０１〜Ｓ２０３、並びにステップＳ２０４〜Ｓ２０７を経る。すなわち、この場合には、温風による乾燥運転を終了して、加熱器３１のヒータ３６の発熱を停止させてから、冷風による乾燥運転が終了するまでの間に、除湿器３８の清掃給水を、例えば１０分の所定時間ごとに実行するようにしている。
【００５２】
なお、この場合、ステップＳ２０７の後には、ステップＳ２０４で停止させた送風機３０の送風羽根３３の回転と洗濯槽１９の回転とを再開させて（ステップＳ２０８）、ステップＳ１２５に戻る。又、ステップＳ１２６の後、ステップＳ１２７、Ｓ１２８を経て、乾燥行程を終了するところは第２実施例と同様である。
このようにしても、除湿器３８の清掃用給水装置５１による給水（除湿器３８のリントの洗い流し清掃)を、洗濯物を乾燥させる乾燥行程中に実行するものであり、又、そのリントの洗い流し清掃中には、洗濯槽１９内空気の循環を停止させるようにしているので、第２実施例と同様の作用効果を得ることができる。
【００５３】
［第４実施例］
図９は第４実施例における制御装置５６の、全作動の開始から洗い行程に進むまでのルーチンを示している。この場合、制御装置５６は、全作動の開始（スタート）から洗い行程に至るまでの間に、第１実施例のステップＳ７〜Ｓ１２と同様のステップＳ３０１〜Ｓ３０６を経る。すなわち、この場合には、全作動の開始から洗い行程に至るまでの間に、除湿器３８の清掃給水を実行するようにしている。
【００５４】
ここで又、洗濯乾燥機における全作動の開始から洗い行程に至るまでの間は、
今回の運転を基準にしたとき、前回の運転における乾燥行程の終了後から今回の運転における洗濯槽１９への最初の給水までの間であって、次回の運転を基準にしたときには、今回の運転における乾燥行程の終了後から次回の運転における洗濯槽１９への最初の給水までの間である。従って、この第４実施例の全作動の開始から洗い行程に至るまでの間に除湿器３８の清掃給水を実行することは、今回の運転における乾燥行程の終了後から次回の運転における洗濯槽１９への最初の給水までの間に除湿器３８の清掃給水を実行することである。
【００５５】
このようにすることにより、今回（前回）の運転の乾燥行程中に除湿器３８内に付着したリントが次回（今回）の運転における洗濯槽１９への最初の給水までの間に洗い流されるものであり、第１実施例同様の作用効果を得ることができる。
【００５６】
［第５実施例］
図１０は第５実施例における制御装置５６の、乾燥行程から乾燥行程終了後のルーチンを示している。この場合、制御装置５６は、乾燥運転（ステップＳ４０１）を実行した後に、運転の終了報知をし（ステップＳ４０２）、その後、扉開閉検知センサ６０の検知出力から、洗濯物の取出しとみなすことのできる扉１３の開放があったか否かの判断をする（ステップＳ４０３）。
【００５７】
上記ステップＳ４０３で、扉１３の開放がなかった（ＮＯ）と判断されれば、例えば３０分の所定時間が経過したか否かの判断をし（ステップＳ４０４）、経過していない（ＮＯ）と判断されるうちは、ステップＳ４０３に戻る。これに対し、ステップＳ４０３で、扉１３の開放があった（ＹＥＳ）と判断されるか、又はステップＳ４０４で、所定時間が経過した（ＹＥＳ）と判断されれば、排水弁２８を開放させ（ステップＳ４０５）、その後、第１実施例のステップＳ９〜Ｓ１２と同様のステップＳ４０６〜Ｓ４０９を経る。すなわち、この場合には、乾燥運転の終了後に、除湿器３８の清掃給水を実行するようにしている。
【００５８】
ここで又、今回の乾燥運転の終了後は、次回の運転における洗濯槽１９への最初の給水までの間である。従って、この第４実施例における今回の乾燥運転の終了後に除湿器３８の清掃給水を実行することは、次回の運転における洗濯槽への最初の給水までの間に除湿器３８の清掃給水を実行することである。
このようにすることにより、第４実施例同様の作用効果を得ることができる。
【００５９】
［第６実施例］
図１１及び図１２は第６実施例における制御装置５６の、今回の運転における乾燥行程から乾燥行程終了後のルーチン（図１１）と、次回の運転における全作動の開始から洗い行程に進むまでのルーチン（図１２）を示している。この場合、制御装置５６は、今回の運転で、上記第５実施例のステップＳ４０１、Ｓ４０２と同様の、ステップＳ５０１（乾燥運転の実行）、Ｓ５０２（運転の終了報知）を経た後に、制御装置５６が具えた記憶手段であるＥＥＲＯＭに乾燥行程実行のフラグを書込み（ステップＳ５０３）、その後に、電源を遮断し（ステップＳ５０４）、運転を終了する。
【００６０】
そして、次回の運転では、全作動の開始（スタート）後に、ＥＥＲＯＭに乾燥行程実行のフラグが書込まれているか否かの判断をし（ステップＳ６０１）、書込まれている（ＹＥＳ）と判断されれば、第１実施例のステップＳ７〜Ｓ１２と同様のステップＳ６０２〜Ｓ６０７を経る。
すなわち、この場合には、全作動の開始から洗い行程に至るまでの間に、前回の運転で乾燥行程が実行されたと判断された場合に限り、換言すれば、前回の運転で乾燥行程が実行されたことを条件に、除湿器３８の清掃給水を実行する。
【００６１】
これにより、除湿器３８内に付着したリントの洗い流しが、除湿器３８内のリントの付着を伴う乾燥行程の実行を条件にして行われるので、必要に応じてのみ行なわれることになり、乾燥行程が実行されていないときに運転終了までの時間が除湿器３８の清掃給水で長引くことのないようにできる。
なお、この場合、ステップＳ６０７の後には、ＥＥＲＯＭにおける乾燥行程実行のフラグの書込みをクリアし（ステップＳ６０８）、その後、洗い行程へと移行する。又、ステップＳ６０１で、ＥＥＲＯＭに乾燥行程実行のフラグが書込まれていない（ＮＯ）と判断されれば、ステップＳ６０２〜と６０８を経ずに、洗い行程へと移行する。
【００６２】
なお、この除湿器３８の清掃給水を乾燥行程が実行されたことを条件に実行する制御は、前回の運転を対象とするものに限られず、今回の運転を対象に、その運転の途中又は運転の終了時に実行するようにしても良い。
そのほか、本発明は上記し且つ図面に示した実施例にのみ限定されるものではなく、特に洗濯乾燥機全体としては、上述のドラム式に限られず、洗濯槽を縦軸状に有する縦軸形であっても良いなど、要旨を逸脱しない範囲内で適宜変更して実施し得る。
【図面の簡単な説明】
【００６３】
【図１】本発明の第１実施例を示す主要部分の清掃中状態の縦断面図
【図２】主要部分の除湿中状態の縦断面図
【図３】全体の破断側面図
【図４】除湿器単体の縦断面図
【図５】電気的構成のブロック図
【図６】作用を説明するためのフローチャート
【図７】本発明の第２実施例を示す図６相当図
【図８】本発明の第３実施例を示す図６相当図
【図９】本発明の第４実施を示す図６相当図
【図１０】本発明の第５実施例を示す図６相当図
【図１１】本発明の第６実施例を示す図６相当図その１
【図１２】図６相当図その２
【図１３】従来例を示す主要部分の除湿開始時状態の縦断面図
【図１４】図２相当図
【符号の説明】
【００６４】
１９は洗濯槽、２５はモータ（洗濯手段、乾燥手段）、３８は除湿器、４１は循環装置（乾燥手段）、４４は注水管（除湿用給水装置の給水口部分）、４７は除湿用給水装置、４８は給水管（清掃用給水装置の給水口部分）、５１は清掃用給水装置を示す。
【図１】
2005021601.tif 000003
【図２】
2005021601.tif 000004
【図３】
2005021601.tif 000005
【図４】
2005021601.tif 000006
【図５】
2005021601.tif 000007
【図６】
2005021601.tif 000008
【図７】
2005021601.tif 000009
【図８】
2005021601.tif 000010
【図９】
2005021601.tif 000011
【図１０】
2005021601.tif 000012
【図１１】
2005021601.tif 000013
【図１２】
2005021601.tif 000014
【図１３】
2005021601.tif 000015
【図１４】
2005021601.tif 000016